(57)【要約】【課題】電子白板システムにおいて、ユーザ毎に当該ユーザ専用のペンを用意することなく、書き込みデータと書き込みを行ったユーザとを関連付ける。【解決手段】電子白板１０は、ペン５０による書き込みが行われる筆記面１１と、当該筆記面１１におけるペン入力座標を検出するペン入力座標検出装置１２とを備える。非接触型ＩＤタグ２０は、ユーザに携帯され、当該ユーザを識別するためのユーザ識別情報を保持する。ＩＤ読取装置３０は、筆記面近傍に存在する非接触型ＩＤタグ２０からユーザ識別情報を読み取る。情報処理装置４０は、ペン入力座標検出装置１２により検出されたペン入力座標に基づく書き込みデータと、当該書き込みデータが書き込まれる際にＩＤ読取装置３０により読み取られたユーザ識別情報とを関連付ける。【選択図】図２
2006302046.tif 000002
【特許請求の範囲】
【請求項１】
ペンによる書き込みが行われる筆記面と、当該筆記面におけるペン入力座標を検出するペン入力座標検出装置とを備える電子白板と、
ユーザに携帯され、当該ユーザを識別するためのユーザ識別情報を保持する非接触型ＩＤタグと、
筆記面近傍に存在する非接触型ＩＤタグからユーザ識別情報を読み取るＩＤ読取手段と、
ペン入力座標検出装置により検出されたペン入力座標に基づく書き込みデータと、当該書き込みデータが書き込まれる際にＩＤ読取手段により読み取られたユーザ識別情報とを関連付ける関連付け手段と、
を有することを特徴とする電子白板システム。
【請求項２】
請求項１に記載の電子白板システムであって、
ＩＤ読取手段は、ペン入力座標検出装置によって検出されたペン入力座標の近傍に読取範囲を限定し、限定された読取範囲内に存在する非接触型ＩＤタグからユーザ識別情報を読み取ることを特徴とする電子白板システム。
【請求項３】
請求項２に記載の電子白板システムであって、
ＩＤ読取手段は、読取範囲が互いに異なる複数のＩＤ読取装置を備え、検出されたペン入力座標に応じてＩＤ読取装置を選択することにより、読取範囲を限定することを特徴とする電子白板システム。
【請求項４】
請求項２または３に記載の電子白板システムであって、
書き込みが右手によるか左手によるかを特定する右手／左手特定手段をさらに有し、
ＩＤ読取手段は、右手／左手特定手段の特定結果に基づいて、読取範囲の限定を行うことを特徴とする電子白板システム。
【請求項５】
請求項１に記載の電子白板システムであって、
ＩＤ読取手段は、非接触型ＩＤタグからユーザ識別情報を読み取るとともに、当該非接触型ＩＤタグとの間の無線通信に基づいて、当該非接触型ＩＤタグの位置を特定し、
関連付け手段は、ペン入力座標により示される書き込みデータの位置と、ＩＤ読取手段により特定された非接触型ＩＤタグの位置とに基づいて、書き込みデータとユーザ識別情報との関連付けを行うことを特徴とする電子白板システム。
【請求項６】
請求項５に記載の電子白板システムであって、
ＩＤ読取手段は、少なくとも２つのＩＤ読取アンテナを備え、ユーザ識別情報の読み取りの際に各ＩＤ読取アンテナが非接触型ＩＤタグから受信した信号強度に基づいて、当該非接触型ＩＤタグの位置を特定することを特徴とする電子白板システム。
【請求項７】
請求項５または６に記載の電子白板システムであって、
書き込みが右手によるか左手によるかを特定する右手／左手特定手段をさらに有し、
関連付け手段は、書き込みデータの位置と、非接触型ＩＤタグの位置と、右手／左手特定手段の特定結果とに基づいて、書き込みデータとユーザ識別情報との関連付けを行うことを特徴とする電子白板システム。
【請求項８】
請求項４または７に記載の電子白板システムであって、
右手／左手特定手段は、書き込みを行っているユーザが撮影された画像データに基づいて、書き込みが右手によるか左手によるかを特定することを特徴とする電子白板システム。
【請求項９】
ペンによる書き込みが行われる筆記面と、当該筆記面におけるペン入力座標を検出するペン入力座標検出装置とを備える電子白板について用いられる情報処理プログラムであって、コンピュータを、
電子白板から、ペン入力座標検出装置により検出されたペン入力座標を取得するペン入力座標取得手段、
筆記面近傍に存在する非接触型ＩＤタグから、当該非接触型ＩＤタグを携帯しているユーザを識別するためのユーザ識別情報を、ＩＤ読取装置を介して取得するユーザ識別情報取得手段、および、
ペン入力座標取得手段により取得されたペン入力座標に基づく書き込みデータと、当該書き込みデータが書き込まれる際にユーザ識別情報取得手段により取得されたユーザ識別情報とを関連付ける関連付け手段、
として機能させることを特徴とする情報処理プログラム。
【請求項１０】
請求項９に記載の情報処理プログラムであって、
ユーザ識別情報取得手段は、ペン入力座標取得手段によって取得されたペン入力座標の近傍に読取範囲を限定し、限定された読取範囲内に存在する非接触型ＩＤタグからユーザ識別情報を取得することを特徴とする情報処理プログラム。
【請求項１１】
請求項１０に記載の情報処理プログラムであって、
ユーザ識別情報取得手段は、読取範囲が互いに異なる複数のＩＤ読取装置の中から、検出されたペン入力座標に応じてＩＤ読取装置を選択することにより、読取範囲を限定することを特徴とする情報処理プログラム。
【請求項１２】
ペンによる書き込みが行われる筆記面と、当該筆記面におけるペン入力座標を検出するペン入力座標検出装置とを備える電子白板について用いられる情報処理装置であって、
電子白板から、ペン入力座標検出装置により検出されたペン入力座標を取得するペン入力座標取得手段と、
筆記面近傍に存在する非接触型ＩＤタグから、当該非接触型ＩＤタグを携帯しているユーザを識別するためのユーザ識別情報を、ＩＤ読取装置を介して取得するユーザ識別情報取得手段と、
ペン入力座標取得手段により取得されたペン入力座標に基づく書き込みデータと、当該書き込みデータが書き込まれる際にユーザ識別情報取得手段により取得されたユーザ識別情報とを関連付ける関連付け手段と、
を有することを特徴とする情報処理装置。
【請求項１３】
請求項１２に記載の情報処理装置であって、
ユーザ識別情報取得手段は、ペン入力座標取得手段によって取得されたペン入力座標の近傍に読取範囲を限定し、限定された読取範囲内に存在する非接触型ＩＤタグからユーザ識別情報を取得することを特徴とする情報処理装置。
【請求項１４】
請求項１２に記載の情報処理装置であって、
ユーザ識別情報取得手段は、ＩＤ読取装置を介して非接触型ＩＤタグからユーザ識別情報を取得するとともに、当該ＩＤ読取装置と当該非接触型ＩＤタグとの間の無線通信に基づいて、当該非接触型ＩＤタグの位置を特定し、
関連付け手段は、ペン入力座標により示される書き込みデータの位置と、ユーザ識別情報取得手段により特定された非接触型ＩＤタグの位置とに基づいて、書き込みデータとユーザ識別情報との関連付けを行うことを特徴とする情報処理装置。
【請求項１５】
ペンによる書き込みが行われる筆記面と、当該筆記面におけるペン入力座標を検出するペン入力座標検出装置とを備える電子白板について用いられる情報処理方法であって、
電子白板から、ペン入力座標検出装置により検出されたペン入力座標を取得するペン入力座標取得ステップと、
筆記面近傍に存在する非接触型ＩＤタグから、当該非接触型ＩＤタグを携帯しているユーザを識別するためのユーザ識別情報を、ＩＤ読取装置を介して取得するユーザ識別情報取得ステップと、
ペン入力座標取得ステップで取得されたペン入力座標に基づく書き込みデータと、当該書き込みデータが書き込まれる際にユーザ識別情報取得ステップで取得されたユーザ識別情報とを関連付ける関連付けステップと、
を有することを特徴とする情報処理方法。
【発明の詳細な説明】
【技術分野】
【０００１】
本発明は、ペンによる書き込みが行われる筆記面と、当該筆記面におけるペン入力座標を検出するペン入力座標検出装置とを備える電子白板を含む電子白板システム、並びに、当該電子白板について用いられる情報処理プログラム、装置、および方法に関する。
【背景技術】
【０００２】
ペンによる書き込みが行われる筆記面を備え、筆記面上のペン入力座標を検出し、検出されたペン入力座標に基づく書き込みデータを取得する電子白板が知られている。
【０００３】
また、特許文献１には、ペンにペン識別子や個人情報（癖字データ等）を記憶させておき、書き込み時にその情報を読み取り、ストロークデータと組み合わせて利用することで、手書き文字の認識率を向上させると共に複数人が同時に書き込んだ場合にも対応する技術が開示されている。
【０００４】
【特許文献１】特開平６−２１４７０４号公報
【発明の開示】
【発明が解決しようとする課題】
【０００５】
電子白板においては、筆記面に書き込まれた書き込みデータと、書き込みを行ったユーザとを関連付けたいという要望がある。この要望は、上記特許文献１に記載された技術を適用することによって満たすことが可能である。
【０００６】
しかし、上記特許文献１に記載の技術では、ペンに識別子を持たせておき、この識別子を読み取ることによって書き込みを行っているユーザを識別するので、ユーザ毎に当該ユーザ専用のペンを用意しなければならない。このため、例えば、電子白板に付属のペンを任意のユーザが使うことが難しいといった問題や、個人で複数のペン（異なる色など）を扱うことが難しいといった問題がある。
【０００７】
そこで、本発明は、ユーザ毎に当該ユーザ専用のペンを用意することなく、書き込みデータと書き込みを行ったユーザとを関連付けることができる電子白板システム、情報処理プログラム、装置、および方法を提供する。
【課題を解決するための手段】
【０００８】
本発明に係る電子白板システムは、ペンによる書き込みが行われる筆記面と、当該筆記面におけるペン入力座標を検出するペン入力座標検出装置とを備える電子白板と、ユーザに携帯され、当該ユーザを識別するためのユーザ識別情報を保持する非接触型ＩＤタグと、筆記面近傍に存在する非接触型ＩＤタグからユーザ識別情報を読み取るＩＤ読取手段と、ペン入力座標検出装置により検出されたペン入力座標に基づく書き込みデータと、当該書き込みデータが書き込まれる際にＩＤ読取手段により読み取られたユーザ識別情報とを関連付ける関連付け手段と、を有することを特徴とする。
【０００９】
本発明の好適な態様では、ＩＤ読取手段は、ペン入力座標検出装置によって検出されたペン入力座標の近傍に読取範囲を限定し、限定された読取範囲内に存在する非接触型ＩＤタグからユーザ識別情報を読み取る。この構成における好適な一実施態様では、ＩＤ読取手段は、読取範囲が互いに異なる複数のＩＤ読取装置を備え、検出されたペン入力座標に応じてＩＤ読取装置を選択することにより、読取範囲を限定する。また、これらの構成において、好適には、書き込みが右手によるか左手によるかを特定する右手／左手特定手段をさらに有し、ＩＤ読取手段は、右手／左手特定手段の特定結果に基づいて、読取範囲の限定を行う。
【００１０】
また、本発明の好適な態様では、ＩＤ読取手段は、非接触型ＩＤタグからユーザ識別情報を読み取るとともに、当該非接触型ＩＤタグとの間の無線通信に基づいて、当該非接触型ＩＤタグの位置を特定し、関連付け手段は、ペン入力座標により示される書き込みデータの位置と、ＩＤ読取手段により特定された非接触型ＩＤタグの位置とに基づいて、書き込みデータとユーザ識別情報との関連付けを行う。この構成における好適な一実施態様では、ＩＤ読取手段は、少なくとも２つのＩＤ読取アンテナを備え、ユーザ識別情報の読み取りの際に各ＩＤ読取アンテナが非接触型ＩＤタグから受信した信号強度に基づいて、当該非接触型ＩＤタグの位置を特定する。また、これらの構成において、好適には、書き込みが右手によるか左手によるかを特定する右手／左手特定手段をさらに有し、関連付け手段は、書き込みデータの位置と、非接触型ＩＤタグの位置と、右手／左手特定手段の特定結果とに基づいて、書き込みデータとユーザ識別情報との関連付けを行う。
【００１１】
上記右手／左手特定手段を有する構成では、右手／左手特定手段は、書き込みを行っているユーザが撮影された画像データに基づいて、書き込みが右手によるか左手によるかを特定することが好ましい。
【００１２】
本発明に係る情報処理プログラムは、ペンによる書き込みが行われる筆記面と、当該筆記面におけるペン入力座標を検出するペン入力座標検出装置とを備える電子白板について用いられる情報処理プログラムであって、コンピュータを、電子白板から、ペン入力座標検出装置により検出されたペン入力座標を取得するペン入力座標取得手段、筆記面近傍に存在する非接触型ＩＤタグから、当該非接触型ＩＤタグを携帯しているユーザを識別するためのユーザ識別情報を、ＩＤ読取装置を介して取得するユーザ識別情報取得手段、および、ペン入力座標取得手段により取得されたペン入力座標に基づく書き込みデータと、当該書き込みデータが書き込まれる際にユーザ識別情報取得手段により取得されたユーザ識別情報とを関連付ける関連付け手段、として機能させることを特徴とする。
【００１３】
本発明の好適な態様では、ユーザ識別情報取得手段は、ペン入力座標取得手段によって取得されたペン入力座標の近傍に読取範囲を限定し、限定された読取範囲内に存在する非接触型ＩＤタグからユーザ識別情報を取得する。この態様における好適な一実施態様では、ユーザ識別情報取得手段は、読取範囲が互いに異なる複数のＩＤ読取装置の中から、検出されたペン入力座標に応じてＩＤ読取装置を選択することにより、読取範囲を限定する。また、これらの態様において、好適には、コンピュータを、書き込みが右手によるか左手によるかを特定する右手／左手特定手段としてさらに機能させ、ユーザ識別情報取得手段は、右手／左手特定手段の特定結果に基づいて、読取範囲の限定を行う。
【００１４】
また、本発明の好適な態様では、ユーザ識別情報取得手段は、ＩＤ読取装置を介して非接触型ＩＤタグからユーザ識別情報を取得するとともに、当該ＩＤ読取装置と当該非接触型ＩＤタグとの間の無線通信に基づいて、当該非接触型ＩＤタグの位置を特定し、関連付け手段は、ペン入力座標により示される書き込みデータの位置と、ユーザ識別情報取得手段により特定された非接触型ＩＤタグの位置とに基づいて、書き込みデータとユーザ識別情報との関連付けを行う。この態様における好適な一実施態様では、ユーザ識別情報取得手段は、少なくとも２つのＩＤ読取アンテナを介してユーザ識別情報を取得し、ユーザ識別情報の取得の際に各ＩＤ読取アンテナが非接触型ＩＤタグから受信した信号強度に基づいて、当該非接触型ＩＤタグの位置を特定する。また、これらの態様において、好適には、コンピュータを、書き込みが右手によるか左手によるかを特定する右手／左手特定手段としてさらに機能させ、関連付け手段は、書き込みデータの位置と、非接触型ＩＤタグの位置と、右手／左手特定手段の特定結果とに基づいて、書き込みデータとユーザ識別情報との関連付けを行う。
【００１５】
上記コンピュータを右手／左手特定手段として機能させる態様では、右手／左手特定手段は、書き込みを行っているユーザが撮影された画像データに基づいて、書き込みが右手によるか左手によるかを特定することが好ましい。
【００１６】
本発明に係る情報処理装置は、ペンによる書き込みが行われる筆記面と、当該筆記面におけるペン入力座標を検出するペン入力座標検出装置とを備える電子白板について用いられる情報処理装置であって、電子白板から、ペン入力座標検出装置により検出されたペン入力座標を取得するペン入力座標取得手段と、筆記面近傍に存在する非接触型ＩＤタグから、当該非接触型ＩＤタグを携帯しているユーザを識別するためのユーザ識別情報を、ＩＤ読取装置を介して取得するユーザ識別情報取得手段と、ペン入力座標取得手段により取得されたペン入力座標に基づく書き込みデータと、当該書き込みデータが書き込まれる際にユーザ識別情報取得手段により取得されたユーザ識別情報とを関連付ける関連付け手段と、を有することを特徴とする。
【００１７】
本発明の好適な態様では、ユーザ識別情報取得手段は、ペン入力座標取得手段によって取得されたペン入力座標の近傍に読取範囲を限定し、限定された読取範囲内に存在する非接触型ＩＤタグからユーザ識別情報を取得する。
【００１８】
また、本発明の好適な態様では、ユーザ識別情報取得手段は、ＩＤ読取装置を介して非接触型ＩＤタグからユーザ識別情報を取得するとともに、当該ＩＤ読取装置と当該非接触型ＩＤタグとの間の無線通信に基づいて、当該非接触型ＩＤタグの位置を特定し、関連付け手段は、ペン入力座標により示される書き込みデータの位置と、ユーザ識別情報取得手段により特定された非接触型ＩＤタグの位置とに基づいて、書き込みデータとユーザ識別情報との関連付けを行う。
【００１９】
本発明に係る情報処理方法は、ペンによる書き込みが行われる筆記面と、当該筆記面におけるペン入力座標を検出するペン入力座標検出装置とを備える電子白板について用いられる情報処理方法であって、電子白板から、ペン入力座標検出装置により検出されたペン入力座標を取得するペン入力座標取得ステップと、筆記面近傍に存在する非接触型ＩＤタグから、当該非接触型ＩＤタグを携帯しているユーザを識別するためのユーザ識別情報を、ＩＤ読取装置を介して取得するユーザ識別情報取得ステップと、ペン入力座標取得ステップで取得されたペン入力座標に基づく書き込みデータと、当該書き込みデータが書き込まれる際にユーザ識別情報取得ステップで取得されたユーザ識別情報とを関連付ける関連付けステップと、を有することを特徴とする。
【００２０】
本発明の好適な態様では、ユーザ識別情報取得ステップでは、ペン入力座標取得ステップで取得されたペン入力座標の近傍に読取範囲を限定し、限定された読取範囲内に存在する非接触型ＩＤタグからユーザ識別情報を取得する。
【００２１】
また、本発明の好適な態様では、ユーザ識別情報取得ステップでは、ＩＤ読取装置を介して非接触型ＩＤタグからユーザ識別情報を取得するとともに、当該ＩＤ読取装置と当該非接触型ＩＤタグとの間の無線通信に基づいて、当該非接触型ＩＤタグの位置を特定し、関連付けステップでは、ペン入力座標により示される書き込みデータの位置と、ユーザ識別情報取得ステップで特定された非接触型ＩＤタグの位置とに基づいて、書き込みデータとユーザ識別情報との関連付けを行う。
【発明の効果】
【００２２】
本発明によれば、ユーザ毎に当該ユーザ専用のペンを用意することなく、書き込みデータと書き込みを行ったユーザとを関連付けることができる電子白板システム、情報処理プログラム、装置、および方法を提供することができる。
【発明を実施するための最良の形態】
【００２３】
以下、本発明の実施の形態を図面に従って説明する。
【００２４】
［第１の実施の形態］
図１は、本実施の形態に係る電子白板システム１の構成を示す模式図である。図２は、本実施の形態に係る電子白板システム１の構成を示すブロック図である。この電子白板システム１は、筆記面に書き込まれた書き込みデータを取得するとともに書き込み者を識別し、書き込みデータと書き込み者とを関連付けるものである。図１，２において、電子白板システム１は、電子白板１０、非接触型ＩＤタグ２０、ＩＤ読取装置３０、および情報処理装置４０（図１では省略されている）を有する。
【００２５】
電子白板１０は、ペン５０による文字や図形等の書き込みが行われる筆記面１１と、この筆記面１１におけるペン入力座標を検出するペン入力座標検出装置１２とを備えている。
【００２６】
ここでは、ペン５０はいわゆる電子ペンであり、筆記面１１に対する文字等の書き込みは次のように仮想的に行われる。すなわち、電子白板１０は、筆記面１１上のペン５０の移動軌跡をペン入力座標検出装置１２によって座標情報として取り込み、この座標情報に基づいてペン５０の移動軌跡を筆記面１１上に再現表示させる。ただし、ペン５０はインク等により実際に書き込みを行うものであってもよく、筆記面１１に対する文字等の書き込みは実際に行われてもよい。また、仮想的に書き込みが行われる場合には、ペン５０は、筆記面１１上の所望の位置を指示可能なものであればよく、例えば指であってもよい。
【００２７】
ペン入力座標検出装置１２は、適宜の座標検出技術を利用することにより、筆記面１１上におけるペン５０の書き込み位置（指示位置）の座標であるペン入力座標を検出する装置である。本実施の形態では、ペン入力座標は、筆記面１１上の水平方向（図１の矢印Ｘ方向）位置を示すＸ座標と、筆記面１１上の垂直方向（図１の矢印Ｙ方向）位置を示すＹ座標との対で構成される。なお、座標検出技術については、様々な方式が広く知られており、ここでは説明を省略する。
【００２８】
非接触型ＩＤタグ２０は、非接触でのデータの読み取りが可能な記憶媒体であり、例えばＲＦＩＤ（Radio Frequency Identification）タグがある。この非接触型ＩＤタグ２０は、ユーザに携帯され、当該ユーザを識別するためのユーザ識別情報（以下、適宜「ＩＤ情報」と称す）を保持している。ここでは、非接触型ＩＤタグ２０は、非接触型ＩＤカード識別子（以下、「カード識別子」と略す）を記憶しているカード型の非接触型ＩＤカードであり、カード識別子がＩＤ情報の役割を果たす。
【００２９】
ＩＤ読取装置３０は、非接触型ＩＤタグ２０からＩＤ情報を読み取るリーダ装置であり、例えばＲＦＩＤリーダである。本実施の形態では、ＩＤ読取装置３０は、筆記面１１近傍を読取範囲とし、読取範囲内に存在する非接触型ＩＤタグ２０からカード識別子を読み取る。ここで、読取範囲は、好適には、書き込み者に携帯された非接触型ＩＤタグ２０が存在し得る範囲である。
【００３０】
情報処理装置４０は、ペン入力座標検出装置１２により検出されたペン入力座標に基づく書き込みデータと、当該書き込みデータが書き込まれる際にＩＤ読取装置３０により読み取られたＩＤ情報とを関連付けるものである。図２において、情報処理装置４０は、機能ブロックとして、ペン入力座標取得部４１、ユーザ識別情報取得部４２、および関連付け部４３を備えている。ここでは、情報処理装置４０はコンピュータであり、情報処理装置４０の各機能は、ＲＯＭ等の記憶媒体に格納された本実施の形態に係る情報処理プログラムがＣＰＵにより実行されることによって実現される。ただし、情報処理装置４０の各機能は、専用のハードウェア回路等、他の構成により実現されてもよい。
【００３１】
ペン入力座標取得部４１は、ペン入力座標検出装置１２から、当該ペン入力座標検出装置１２により検出されたペン入力座標を取得する。
【００３２】
ユーザ識別情報取得部４２は、ＩＤ読取装置３０を介して、筆記面１１近傍に存在する非接触型ＩＤタグ２０からＩＤ情報を取得する。
【００３３】
関連付け部４３は、ペン入力座標取得部４１により取得されたペン入力座標に基づく書き込みデータと、当該書き込みデータが書き込まれる際にユーザ識別情報取得部４２により取得されたＩＤ情報とを関連付ける。ここで、ペン入力座標に基づく書き込みデータとは、ペン入力座標に基づいて得られる、筆記面１１上におけるペン５０の移動軌跡を示すデータであり、例えば、ペンダウンからペンアップまでの間に検出されたペン入力座標の座標列である。また、上記の「書き込みデータが書き込まれる際」とは、好適にはペンダウンからペンアップまでの期間であるが、ペンダウン直前やペンアップ直後であってもよい。
【００３４】
図３は、本実施の形態における情報処理装置４０の動作手順を示すフローチャートである。以下、図３に従って、本実施の形態における情報処理装置４０の動作について説明する。
【００３５】
図３において、ユーザ識別情報取得部４２は、例えばペン入力座標検出装置１２の出力をモニタすることにより、ペンダウンイベントの有無を判断する（Ｓ１１）。そして、ユーザ識別情報取得部４２は、ペンダウンイベントがあるまで待機し（Ｓ１１：ＮＯ）、ペンダウンイベントがあると（Ｓ１１：ＹＥＳ）、ＩＤ読取装置３０を制御して、筆記面１１近傍に存在する非接触型ＩＤタグ２０からＩＤ情報を取得する（Ｓ１２）。ここで、ＩＤ読取装置３０によるＩＤ情報の読み取りは、例えば次のように行われる。すなわち、ＩＤ読取装置３０は、質問信号を送出する。この質問信号は、筆記面１１近傍の所定の読取範囲内に存在する非接触型ＩＤタグ２０に受信され、質問信号を受信した非接触型ＩＤタグ２０は、ＩＤ情報を含む応答信号を送出する。ＩＤ読取装置３０は、この応答信号を受信することによってＩＤ情報を読み取る。なお、ユーザ識別情報取得部４２は、取得されたＩＤ情報を関連付け部４３に渡す。
【００３６】
ペン入力座標取得部４１は、ペンダウンイベントがあってからペンアップイベントがあるまでの間（Ｓ１１：ＹＥＳ、Ｓ１４：ＮＯ）、ペン入力座標検出装置１２から出力されるペン入力座標を取得し、取得されたペン入力座標をストロークデータ（ペンの軌跡情報）として蓄積する（Ｓ１３）。そして、ペン入力座標取得部４１は、ペンアップイベントがあると（Ｓ１４：ＹＥＳ）、蓄積されたストロークデータを関連付け部４３に渡す。
【００３７】
関連付け部４３は、ペン入力座標取得部４１からストロークデータを受け取ると、このストロークデータと、ユーザ識別情報取得部４２から受け取ったＩＤ情報とを関連付ける（Ｓ１５）。さらに、関連付け部４３は、書き込みデータとＩＤ情報との関連付けに基づいて、書き込みデータと、書き込みを行ったユーザの個人情報とを関連付ける。例えば、関連付け部４３は、図４に示されるようなＩＤ情報（カード識別子）とシステム内ユーザ識別子の対応表を用いることにより、ストロークデータをシステム内ユーザ識別子と関連付ける。また、関連付け部４３は、図５に示されるようなシステム内ユーザ識別子とユーザ情報の対応表を用いることにより、ストロークデータを各種のユーザ情報（図５では、ユーザ名、プライマリグループ、ホームディレクトリ）と関連付ける。
【００３８】
関連付け部４３により関連付けられたデータは、どのように利用されても構わないが、好適には、情報処理装置４０によってデータベース等の所定の記憶領域に格納される。例えば、ストロークデータとシステム内ユーザ識別子"U011"とが関連付けられたデータは、ホームディレクトリ"http://home.com/foo"に保存され、プライマリグループ"G00"のユーザ間で共有される。
【００３９】
以上のとおり、本実施の形態では、書き込みを行っているユーザが携帯している非接触型ＩＤタグから当該ユーザのユーザ識別情報を読み取り、読み取ったユーザ識別情報と書き込みデータとを関連付ける。このため、本実施の形態によれば、ユーザ毎に当該ユーザ専用のペンを用意することなく、書き込みデータと書き込みを行ったユーザとを関連付けることができ、書き込みデータと書き込みを行ったユーザの個人情報とを関連付けることができる。また、複数ユーザ間でのペンの共有が可能となり、例えば電子白板に付属のペンを任意のユーザが使うことが可能となる。また、個人で複数のペン（異なる色など）を扱うことが容易になる。これについて説明すると、複数のペンを使用する場合、特許文献１に記載の技術では、各ユーザは、当該ユーザ専用の複数のペンを所持しなければならない。また、あるユーザ用の複数のペンは、互いに同一の識別子を持たなければならない。このため、コスト的に不利、持ち運びが不便、ペン紛失のリスクが高いといった問題がある。これに対し、本実施の形態によれば、複数ユーザ間で複数のペンを共有でき、上記問題を回避することができる。
【００４０】
［第２の実施の形態］
図６は、本実施の形態に係る電子白板システム２の構成を示す模式図である。図７は、本実施の形態に係る電子白板システム２の構成を示すブロック図である。この電子白板システム２は、上記電子白板システム１と多くの点で共通するが、複数のユーザが同時に書き込みを行った際における関連付けを可能にするものである。以下、電子白板システム２について説明するが、上記電子白板システム１と共通する部分については、同一の符号を用い、説明を省略することとする。
【００４１】
筆記面１１近傍の全域を読取範囲とすると、複数のユーザが同時に書き込みを行った場合、どの書き込みデータがどのユーザのものかを特定することができず、各書き込みデータと各ユーザとを適切に関連付けることができない。
【００４２】
そこで、本実施の形態では、ペン入力座標検出装置１２によって検出されたペン入力座標の近傍に読取範囲を限定し、限定された読取範囲内に存在する非接触型ＩＤタグ２０からＩＤ情報を読み取ることとする。
【００４３】
具体的には、ここでは、電子白板システム２は、読取範囲が互いに異なる複数のＩＤ読取装置を備え、検出されたペン入力座標に基づき、当該ペン入力座標近傍を読取範囲とするＩＤ読取装置を選択し、選択されたＩＤ読取装置によってＩＤ情報の読み取りを行う。すなわち、使用するＩＤ読取装置を選択することによって、読取範囲を切り替える。ここで、ＩＤ読取装置の台数や配置は適宜に設定可能であるが、図６では、長方形状の筆記面１１の水平方向に沿って、６台のＩＤ読取装置３１〜３６が整列配置されている。これにより、水平方向に沿って６つの読取範囲が形成されている。
【００４４】
なお、読取範囲の限定は、上記構成に限られず、適宜の構成で実現可能である。例えば、１台のＩＤ読取装置の位置、指向性、信号強度などを変化させることにより、読取範囲を限定することができる。
【００４５】
図８は、本実施の形態における情報処理装置４０の動作手順を示すフローチャートである。以下、図８に従って、本実施の形態における情報処理装置４０の動作について説明する。
【００４６】
図８において、ペン入力座標取得部４１は、ペン入力座標検出装置１２の出力をモニタして、ペンダウンイベントの有無を判断する（Ｓ２１）。そして、ペン入力座標取得部４１は、ペンダウンイベントがあるまで待機し（Ｓ２１：ＮＯ）、ペンダウンイベントがあると（Ｓ２１：ＹＥＳ）、ペンダウン位置のＸ座標情報を取得する（Ｓ２２）。そして、ペン入力座標取得部４１は、取得されたＸ座標情報をユーザ識別情報取得部４２に渡す。
【００４７】
ユーザ識別情報取得部４２は、ペン入力座標取得部４１からＸ座標情報を受け取ると、このＸ座標情報に基づいて、ＩＤ読取装置３１〜３６の中から、ペンダウン位置の近傍を読取範囲とする所定のＩＤ読取装置を選択する（Ｓ２３）。すなわち、ユーザ識別情報取得部４２は、ペン５０による入力開始位置からＩＤ読取装置を決定する。
【００４８】
ついで、ユーザ識別情報取得部４２は、選択されたＩＤ読取装置を介して、当該ＩＤ読取装置の読取範囲内に存在する非接触型ＩＤタグ２０からＩＤ情報を取得する（Ｓ２４）。そして、ユーザ識別情報取得部４２は、取得されたＩＤ情報を関連付け部４３に渡す。
【００４９】
ペン入力座標取得部４１は、ペンダウンイベントがあってからペンアップイベントがあるまでの間（Ｓ２１：ＹＥＳ、Ｓ２６：ＮＯ）、ペン入力座標検出装置１２から出力されるペン入力座標を取得し、取得されたペン入力座標をストロークデータとして蓄積する（Ｓ２５）。そして、ペン入力座標取得部４１は、ペンアップイベントがあると（Ｓ２６：ＹＥＳ）、蓄積されたストロークデータを関連付け部４３に渡す。
【００５０】
関連付け部４３は、ペン入力座標取得部４１からストロークデータを受け取ると、このストロークデータと、ユーザ識別情報取得部４２から受け取ったＩＤ情報とを関連付ける（Ｓ２７）。このとき、関連付け部４３は、上記電子白板システム１の場合と同様に、システム内ユーザ識別子や各種のユーザ情報をストロークデータと関連付けることができる。
【００５１】
複数のユーザが同時に書き込みを行った場合には、上記の処理は、それぞれの書き込みについて実行される。例えば、図６において、ユーザＵ１およびＵ２が同時に書き込みを行ったとすると、ユーザＵ１の書き込みについての処理と、ユーザＵ２の書き込みについての処理とが同時に実行される。
【００５２】
ここで、ユーザＵ１の書き込みについての処理は次のとおりに行われる。すなわち、ユーザＵ１が書き込み開始位置Ｐ１１にペンダウンすると、ペン入力座標検出装置１２は、当該書き込み開始位置Ｐ１１の座標（Ｘ１１，Ｙ１１）を検出して情報処理装置４０に出力する。情報処理装置４０は、座標Ｘ１１に応じてＩＤ読取装置３２を選択し、選択されたＩＤ読取装置３２を介してユーザＵ１の非接触型ＩＤタグ２１からＩＤ情報ＩＤ１を読み取る。一方、ユーザＵ１のペンが書き込み開始位置Ｐ１１から書き込み終了位置Ｐ１２に移動するまでの間、ペン入力座標検出装置１２は、連続的にペン入力座標を検出して情報処理装置４０に出力する。この出力に基づき、情報処理装置４０は、書き込み開始位置Ｐ１１の座標（Ｘ１１，Ｙ１１）から書き込み終了位置Ｐ１２の座標（Ｘ１２，Ｙ１２）までの座標列をストロークデータＳ１として取得する。そして、情報処理装置４０は、ストロークデータＳ１とＩＤ情報ＩＤ１とを関連付ける。
【００５３】
ユーザＵ２の書き込みについての処理は、上記と同様に次のとおりに行われる。すなわち、ユーザＵ２がペンダウンすると、ペン入力座標検出装置１２は、書き込み開始位置Ｐ２１の座標（Ｘ２１，Ｙ２１）を検出して情報処理装置４０に出力する。情報処理装置４０は、座標Ｘ２１に応じてＩＤ読取装置３４を選択し、選択されたＩＤ読取装置３４を介してユーザＵ２の非接触型ＩＤタグ２２からＩＤ情報ＩＤ２を読み取る。一方、情報処理装置４０は、書き込み開始位置Ｐ２１の座標（Ｘ２１，Ｙ２１）から書き込み終了位置Ｐ２２の座標（Ｘ２２，Ｙ２２）までの座標列をストロークデータＳ２として取得する。そして、情報処理装置４０は、ストロークデータＳ２とＩＤ情報ＩＤ２とを関連付ける。
【００５４】
以上説明した本実施の形態によれば、上記第１の実施の形態と同様の効果が得られるほか、次の効果が得られる。すなわち、ペン入力座標検出装置によって検出されたペン入力座標の近傍に読取範囲を限定し、限定された読取範囲内に存在する非接触型ＩＤタグからユーザ識別情報を読み取るので、筆記面近傍に複数のユーザが存在する場合であっても、書き込みを行っているユーザを適切に識別することができ、書き込みデータとユーザとの関連付けを適切に行うことができる。特に、複数のユーザが同時に書き込んだ際に、各書き込みデータと各ユーザとを適切に関連付けることができる。
【００５５】
また、本実施の形態では、読取範囲が互いに異なる複数のＩＤ読取装置を設け、検出されたペン入力座標に応じてＩＤ読取装置を選択することにより、読取範囲を限定する。このため、読取範囲の限定を簡易な構成で実現することができる。また、特許文献１に記載の技術では、ペンから識別子を読み取る読取装置を数多く設置しないとならないためコストが高くなるが、本実施の形態では、ＩＤ読取装置を必要最低限設置するだけで、複数のユーザが同時に書き込んだ際の関連付けを可能にすることができ、コスト的に有利である。これは、人間が複数人で同時に記述する場合、体の幅があるため必要なＩＤ読取装置の数は制限可能であるからである。
【００５６】
上記第２の実施の形態に係る電子白板システム２は、さらに次のように構成されることが好ましい。以下、電子白板システム２のより好適な構成例について説明する。
【００５７】
書き込みが右手で行われている場合、書き込み者（あるいは非接触型ＩＤタグ２０）の位置は、筆記面１１に向かって、書き込み位置よりも左側である可能性が高い。逆に、書き込みが左手で行われている場合、書き込み者の位置は、書き込み位置よりも右側である可能性が高い。そこで、本構成例では、書き込みが右手によるか左手によるかを特定し、この特定結果に基づいて、上記読取範囲の限定を行うこととする。
【００５８】
具体的には、情報処理装置４０は、書き込みが右手によるか左手によるかを特定する右手／左手特定部４４をさらに有する。右手／左手特定部４４は、好適には、書き込みを行っているユーザの姿が撮影された画像データ（動画データまたは静止画データ）に基づいて、右手書きか左手書きかを判断する。ただし、右手書きか左手書きかの特定は、他の方法で行われてもよい。
【００５９】
ユーザ識別情報取得部４２は、右手／左手特定部４４の特定結果に応じて、ＩＤ読取装置による読取範囲を決定する。具体的には、右手書きである場合には、筆記面１１に向かって比較的左寄りに読取範囲を設定し、左手書きである場合には、比較的右寄りに読取範囲を設定する。
【００６０】
ここでは、ユーザ識別情報取得部４２は、右手／左手特定部４４の特定結果と、書き込み開始位置のＸ座標とに基づいて、次のようにＩＤ読取装置を選択する。すなわち、図６を参照すると、ユーザ識別情報取得部４２は、右手書きである場合には、書き込み開始位置のＸ座標がＸＲ１〜ＸＲ２であるときにＩＤ読取装置３４を選択し、左手書きである場合には、書き込み開始位置のＸ座標がＸＬ１〜ＸＬ２であるときにＩＤ読取装置３４を選択する。
【００６１】
以上のとおり、本構成例によれば、書き込みが右手によるか左手によるかを特定し、この特定の結果に基づいて上記読取範囲の限定を行うので、より正確に、書き込み者により携帯されている非接触型ＩＤタグ２０からユーザ識別情報を読み取ることができる。
【００６２】
［第３の実施の形態］
図９は、本実施の形態に係る電子白板システム３の構成を示す模式図である。図１０は、本実施の形態に係る電子白板システム３の構成を示すブロック図である。この電子白板システム３は、上記電子白板システム１と多くの点で共通するが、複数のユーザが同時に書き込みを行った際における関連付けを可能にするものである。以下、電子白板システム３について説明するが、上記電子白板システム１と共通する部分については、同一の符号を用い、説明を省略することとする。
【００６３】
筆記面１１近傍の全域を読取範囲とする構成では、筆記面１１近傍に複数のユーザが存在する場合、複数のＩＤ情報が読み取られることとなり、書き込みデータとユーザとを適切に関連付けることができない。特に、複数のユーザが同時に書き込みを行った場合、どの書き込みデータがどのユーザのものかを特定することができず、各書き込みデータと各ユーザとを適切に関連付けることができない。
【００６４】
そこで、本実施の形態では、ＩＤ読取装置と非接触型ＩＤタグとの間の無線通信に基づいて非接触型ＩＤタグの位置（以下、適宜「タグ位置」と称す）を特定し、ペン入力座標により示される書き込みデータの位置と、特定された非接触型ＩＤタグの位置とに基づいて、書き込みデータとＩＤ情報との関連付けを行うこととする。分かり易く言えば、本実施の形態では、ユーザの位置を特定し、書き込みとユーザとの位置関係に基づいて書き込みデータとユーザとを関連付けることとする。なお、上記「書き込みデータの位置」とは、書き込みデータの元となる書き込み操作が行われた筆記面上の位置である。
【００６５】
具体的には、ユーザ識別情報取得部４２は、ＩＤ読取装置３７を介して、非接触型ＩＤタグ２０からＩＤ情報を読み取るとともに、ＩＤ読取装置３７と当該非接触型ＩＤタグ２０との間の無線通信に基づいて、当該非接触型ＩＤタグ２０の位置を特定する。ここでは、ＩＤ読取装置３７は、２台のＩＤ読取アンテナ３７ａ，３７ｂを備えており、ユーザ識別情報取得部４２は、ＩＤ情報の読み取りの際に各ＩＤ読取アンテナ３７ａ，３７ｂが非接触型ＩＤタグ２０から受信した信号強度（例えば電波強度）に基づいて、当該非接触型ＩＤタグ２０の位置を特定する。ここで、ＩＤ読取アンテナ３７ａ，３７ｂの配置は適宜に設定可能であるが、図９では、長方形状の筆記面１１の水平方向両端にそれぞれ設置されている。
【００６６】
なお、非接触型ＩＤタグ２０の位置の特定は、上記構成に限られず、適宜の構成で実現可能である。例えば、３台以上のＩＤ読取アンテナの受信信号強度に基づいて、非接触型ＩＤタグ２０の位置を特定してもよい。また、１台のＩＤ読取アンテナの位置、指向性、信号強度などを変化させることにより、非接触型ＩＤタグ２０の位置を特定することも可能である。
【００６７】
関連付け部４３は、ペン入力座標により示される書き込みデータの位置と、ユーザ識別情報取得部４２により特定された非接触型ＩＤタグ２０の位置とに基づいて、書き込みデータとＩＤ情報との関連付けを行う。例えば、関連付け部４３は、ある書き込みデータの書き込みがあった際に、複数のＩＤ情報が読み取られた場合、書き込みデータの位置に最も近い位置に存在する非接触型ＩＤタグ２０のＩＤ情報を、書き込みデータと関連付ける。ただし、関連付けのアルゴリズムは、各書き込みデータと各非接触型ＩＤタグ２０との位置関係に応じて適切に関連付けを行うものであればよく、適宜に決められればよい。
【００６８】
図１１は、本実施の形態における情報処理装置４０の動作手順を示すフローチャートである。以下、図１１に従って、本実施の形態における情報処理装置４０の動作について説明する。
【００６９】
図１１において、ペン入力座標取得部４１は、ペン入力座標検出装置１２の出力をモニタして、ペンダウンイベントの有無を判断する（Ｓ３１）。そして、ペン入力座標取得部４１は、ペンダウンイベントがあるまで待機し（Ｓ３１：ＮＯ）、ペンダウンイベントがあると（Ｓ３１：ＹＥＳ）、ペンダウン位置のＸ座標情報を取得する（Ｓ３２）。そして、ペン入力座標取得部４１は、この書き込みイベントを識別するためのイベント識別子を生成し、生成されたイベント識別子と取得されたＸ座標情報とを対応付けてユーザ識別情報取得部４２に渡す。
【００７０】
ユーザ識別情報取得部４２は、ペン入力座標取得部４１からイベント識別子およびＸ座標情報を受け取ると、ＩＤ読取装置３７を制御し、２つのＩＤ読取アンテナ３７ａ，３７ｂを介して、筆記面１１近傍に存在する非接触型ＩＤタグ２０からＩＤ情報を取得する（Ｓ３３）。さらに、ユーザ識別情報取得部４２は、ＩＤ情報の読み取りの際に２つのＩＤ読取アンテナ３７ａ，３７ｂが受信した電波強度Ｓａ，ＳｂをＩＤ読取装置３７から取得し、取得された電波強度Ｓａ，Ｓｂから非接触型ＩＤタグ２０の位置を推定する（Ｓ３４）。ここで、筆記面１１近傍に複数のユーザが存在する場合には、ユーザ識別情報取得部４２は、各ユーザの非接触型ＩＤタグ２０からＩＤ情報を読み取るとともに、各非接触型ＩＤタグ２０の位置を推定する。そして、ユーザ識別情報取得部４２は、イベント識別子と、ペンダウン位置のＸ座標情報と、ＩＤ情報とタグ位置との一以上の対と、を対応付けて関連付け部４３に渡す。
【００７１】
関連付け部４３は、ユーザ識別情報取得部４２からイベント識別子等の情報を受け取ると、ペンダウン位置（書き込み開始位置）のＸ座標情報とタグ位置（ユーザ位置）から、イベント識別子とＩＤ情報とを関連付ける（Ｓ３５）。分かり易く言えば、書き込みとユーザとの位置関係に基づいて書き込みイベントとユーザとを関連付ける。例えば、関連付け部４３は、一以上のタグ位置の中から、そのＸ座標がペンダウン位置のＸ座標と最も近いタグ位置を特定し、特定されたタグ位置と対応付けられたＩＤ情報を、イベント識別子と関連付ける。
【００７２】
ペン入力座標取得部４１は、ペンダウンイベントがあってからペンアップイベントがあるまでの間（Ｓ３１：ＹＥＳ、Ｓ３７：ＮＯ）、ペン入力座標検出装置１２から出力されるペン入力座標を取得し、取得されたペン入力座標をストロークデータとして蓄積する（Ｓ３６）。そして、ペン入力座標取得部４１は、ペンアップイベントがあると（Ｓ３７：ＹＥＳ）、蓄積されたストロークデータを、上記生成されたイベント識別子と対応付けて関連付け部４３に渡す。
【００７３】
関連付け部４３は、ペン入力座標取得部４１からイベント識別子とストロークデータとの対を受け取ると、当該ストロークデータと、当該イベント識別子に関連付けられているＩＤ情報とを関連付ける（Ｓ３８）。このとき、関連付け部４３は、上記電子白板システム１の場合と同様に、システム内ユーザ識別子や各種のユーザ情報をストロークデータと関連付けることができる。
【００７４】
複数のユーザが同時に書き込みを行った場合には、上記の処理は、それぞれの書き込みについて実行される。例えば、図９において、ユーザＵ１およびＵ２が同時に書き込みを行ったとすると、ユーザＵ１の書き込みについての処理と、ユーザＵ２の書き込みについての処理とが同時に実行される。
【００７５】
ここで、ユーザＵ１の書き込みについての処理は次のとおりに行われる。すなわち、ユーザＵ１が書き込み開始位置Ｐ１１にペンダウンすると、ペン入力座標検出装置１２は、当該書き込み開始位置Ｐ１１の座標（Ｘ１１，Ｙ１１）を検出して情報処理装置４０に出力する。情報処理装置４０は、上記座標の入力を受けると、この書き込みイベントを示すイベント識別子ＩＶ１を生成する。また、情報処理装置４０は、ＩＤ読取装置３７を介して、ユーザＵ１の非接触型ＩＤタグ２１からＩＤ情報ＩＤ１を読み取るとともに、非接触型ＩＤタグ２１の位置のＸ座標ＸＵ１を特定し、同時に、ユーザＵ２の非接触型ＩＤタグ２２からＩＤ情報ＩＤ２を読み取るとともに、非接触型ＩＤタグ２２の位置のＸ座標ＸＵ２を特定する。なお、図９では、Ｘ座標ＸＵ１、ＸＵ２はそれぞれ非接触型ＩＤタグ２１，２２の位置に対してずれているが、これはユーザＵ１，Ｕ２が右方向に移動したためである。
【００７６】
ついで、情報処理装置４０は、｜Ｘ１１−ＸＵ１｜および｜Ｘ１１−ＸＵ２｜を算出し、ここでは｜Ｘ１１−ＸＵ１｜が最小であるので、ＸＵ１に対応するＩＤ情報ＩＤ１をイベント識別子ＩＶ１に関連付ける。一方、ユーザＵ１のペンが書き込み開始位置Ｐ１１から書き込み終了位置Ｐ１２に移動するまでの間、ペン入力座標検出装置１２は、連続的にペン入力座標を検出して情報処理装置４０に出力する。この出力に基づき、情報処理装置４０は、書き込み開始位置Ｐ１１の座標（Ｘ１１，Ｙ１１）から書き込み終了位置Ｐ１２の座標（Ｘ１２，Ｙ１２）までの座標列をストロークデータＳ１としてイベント識別子ＩＶ１と対応付けて取得する。そして、情報処理装置４０は、イベント識別子が一致することより、ストロークデータＳ１とＩＤ情報ＩＤ１とを関連付ける。
【００７７】
ユーザＵ２の書き込みについての処理は、上記と同様に次のとおりに行われる。すなわち、ユーザＵ２がペンダウンすると、情報処理装置４０は、書き込み開始位置Ｐ２１の座標（Ｘ２１，Ｙ２１）の入力を受け、この書き込みイベントを示すイベント識別子ＩＶ２を生成する。また、情報処理装置４０は、非接触型ＩＤタグ２１からＩＤ情報ＩＤ１を読み取るとともに、非接触型ＩＤタグ２１の位置のＸ座標ＸＵ１を特定し、同時に、非接触型ＩＤタグ２２からＩＤ情報ＩＤ２を読み取るとともに、非接触型ＩＤタグ２２の位置のＸ座標ＸＵ２を特定する。そして、情報処理装置４０は、｜Ｘ２１−ＸＵ１｜および｜Ｘ２１−ＸＵ２｜を算出し、ここでは｜Ｘ２１−ＸＵ２｜が最小であるので、ＸＵ２に対応するＩＤ情報ＩＤ２をイベント識別子ＩＶ２に関連付ける。一方、情報処理装置４０は、書き込み開始位置Ｐ２１の座標（Ｘ２１，Ｙ２１）から書き込み終了位置Ｐ２２の座標（Ｘ２２，Ｙ２２）までの座標列をストロークデータＳ２としてイベント識別子ＩＶ２と対応付けて取得する。そして、情報処理装置４０は、イベント識別子が一致することより、ストロークデータＳ２とＩＤ情報ＩＤ２とを関連付ける。
【００７８】
以上説明した本実施の形態によれば、上記第１の実施の形態と同様の効果が得られるほか、次の効果が得られる。すなわち、非接触型ＩＤタグからユーザ識別情報を読み取るとともに当該非接触型ＩＤタグの位置を特定し、書き込みデータの位置と、非接触型ＩＤタグの位置とに基づいて、書き込みデータとユーザ識別情報との関連付けを行う。このため、書き込みとユーザとの位置関係に基づいて書き込みデータとユーザとを適切に関連付けることができる。また、筆記面近傍に複数のユーザが存在する場合であっても、書き込みを行っているユーザを適切に識別することができ、書き込みデータとユーザとの関連付けを適切に行うことができる。特に、複数のユーザが同時に書き込んだ際に、各書き込みデータと各ユーザとを適切に関連付けることができる。さらに、特許文献１に記載の技術では、ペンから識別子を読み取る読取装置を数多く設置しないとならないためコストが高くなるが、本実施の形態では、ＩＤ読取装置を必要最低限設置するだけで、複数のユーザが同時に書き込んだ際の関連付けを可能にすることができ、コスト的に有利である。
【００７９】
また、ＩＤ読取装置と非接触型ＩＤタグとの間の無線通信に基づいて非接触型ＩＤタグの位置を特定するので、ユーザ識別情報の読み取りと非接触型ＩＤタグの位置の特定とで資源の共有化を図ることができ、構成の簡易化やコスト削減を図ることができる。
【００８０】
また、２つのＩＤ読取アンテナが非接触型ＩＤタグから受信した信号強度に基づいて非接触型ＩＤタグの位置を特定するので、タグ位置の特定を簡易な構成で実現することができる。
【００８１】
上記第３の実施の形態に係る電子白板システム３は、さらに次のように構成されることが好ましい。以下、電子白板システム３のより好適な構成例について説明する。
【００８２】
書き込みが右手で行われている場合、書き込み者（あるいは非接触型ＩＤタグ２０）の位置は、筆記面１１に向かって、書き込み位置よりも左側である可能性が高い。逆に、書き込みが左手で行われている場合、書き込み者の位置は、書き込み位置よりも右側である可能性が高い。そこで、本構成例では、書き込みが右手によるか左手によるかを特定し、この特定結果を加味して、書き込みデータとＩＤ情報との関連付けを行うこととする。
【００８３】
具体的には、情報処理装置４０は、書き込みが右手によるか左手によるかを特定する右手／左手特定部４４をさらに有する。右手／左手特定部４４は、好適には、書き込みを行っているユーザの姿が撮影された画像データ（動画データまたは静止画データ）に基づいて、右手書きか左手書きかを判断する。ただし、右手書きか左手書きかの特定は、他の方法で行われてもよい。例えば、ＩＤ情報と利き手情報との対応表を予め用意しておけば、この対応表を参照することにより、読み取られたＩＤ情報から書き込み者の利き手を特定することができる。ただし、利き手と反対の手で書き込みが行われる場合があるので、画像データに基づく方が、より正確に特定することができる。
【００８４】
関連付け部４３は、書き込みデータの位置と、非接触型ＩＤタグ２０の位置と、右手／左手特定部４４の特定結果とに基づいて、書き込みデータとＩＤ情報とを関連付ける。
【００８５】
以下、図９を参照して、本構成例における関連付けの一例を説明する。図９において、ユーザＵ１が書き込み開始位置Ｐ１１にペンダウンすると、情報処理装置４０は、書き込み開始位置Ｐ１１の座標（Ｘ１１，Ｙ１１）の入力を受け、このイベントを示すイベント識別子ＩＶ１を生成する。また、情報処理装置４０は、ＩＤ読取装置３７を介して、ユーザＵ１の非接触型ＩＤタグ２１からＩＤ情報ＩＤ１を読み取るとともに、非接触型ＩＤタグ２１の位置のＸ座標ＸＵ１を特定し、同時に、ユーザＵ２の非接触型ＩＤタグ２２からＩＤ情報ＩＤ２を読み取るとともに、非接触型ＩＤタグ２２の位置のＸ座標ＸＵ２を特定する。
【００８６】
本構成例ではさらに、情報処理装置４０は、右手書きか左手書きかを特定し、右手書きの場合には予想タグ位置座標Ｘ１１’として（Ｘ１１−ＸＨ）を算出し、左手書きの場合には予想タグ位置座標Ｘ１１’として（Ｘ１１＋ＸＨ）を算出する。そして、情報処理装置４０は、｜Ｘ１１’−ＸＵ１｜および｜Ｘ１１’−ＸＵ２｜を算出し、ここでは｜Ｘ１１’−ＸＵ１｜が最小であるので、ＸＵ１に対応するＩＤ情報ＩＤ１をイベント識別子ＩＶ１に関連付ける。なお、これ以降の処理は上記と同様である。
【００８７】
以上のとおり、本構成例によれば、書き込みが右手によるか左手によるかを特定し、この特定結果と、書き込みデータの位置と、非接触型ＩＤタグの位置とに基づいて書き込みデータとユーザ識別情報とを関連付けるので、書き込みデータとユーザとの関連付けをより正確に行うことができる。
【００８８】
なお、本発明は、上記実施の形態に限定されるものではなく、本発明の要旨を逸脱しない範囲内で種々変更することができる。
【図面の簡単な説明】
【００８９】
【図１】第１の実施の形態に係る電子白板システムの構成を示す模式図である。
【図２】第１の実施の形態に係る電子白板システムの構成を示すブロック図である。
【図３】第１の実施の形態における情報処理装置の動作手順を示すフローチャートである。
【図４】非接触ＩＤカード識別子とシステム内ユーザ識別子の対応表の一例を示す図である。
【図５】システム内ユーザ識別子とユーザ情報の対応表の一例を示す図である。
【図６】第２の実施の形態に係る電子白板システムの構成を示す模式図である。
【図７】第２の実施の形態に係る電子白板システムの構成を示すブロック図である。
【図８】第２の実施の形態における情報処理装置の動作手順を示すフローチャートである。
【図９】第３の実施の形態に係る電子白板システムの構成を示す模式図である。
【図１０】第３の実施の形態に係る電子白板システムの構成を示すブロック図である。
【図１１】第３の実施の形態における情報処理装置の動作手順を示すフローチャートである。
【符号の説明】
【００９０】
１〜３  電子白板システム、１０  電子白板、１１  筆記面、１２  ペン入力座標検出装置、２０〜２２  非接触型ＩＤタグ、３０〜３７  ＩＤ読取装置、３７ａ，３７ｂ  ＩＤ読取アンテナ、４０  情報処理装置、４１  ペン入力座標取得部、４２  ユーザ識別情報取得部、４３  関連付け部、４４  右手／左手特定部、５０  ペン。
【図１】
2006302046.tif 000003
【図２】
2006302046.tif 000004
【図３】
2006302046.tif 000005
【図４】
2006302046.tif 000006
【図５】
2006302046.tif 000007
【図６】
2006302046.tif 000008
【図７】
2006302046.tif 000009
【図８】
2006302046.tif 000010
【図９】
2006302046.tif 000011
【図１０】
2006302046.tif 000012
【図１１】
2006302046.tif 000013